(57)【要約】      （修正有）【課題】光触媒の有機物の酸化分解作用と光触媒の超親水性によるセルフクリーニング作用によって乗場ドアを有効に清浄化することのできるエレベーター乗場ドア清浄装置を提供する。【解決手段】乗場１と、この乗場に設けられた三方枠５により形成される乗降口６と、を備えたエレベーターであって、表面が光触媒でコーティングされ乗降口を開閉する乗場ドア７と、乗場ドアの光触媒コーティング面に水又は洗浄液を散水する散水手段８と、この散水手段を起動又は停止する制御手段と、を備える。【選択図】図１
2007261707.tif 000002
【特許請求の範囲】
【請求項１】
乗場と、この乗場に設けられた三方枠により形成される乗降口と、を備えたエレベーターであって、表面が光触媒でコーティングされ前記乗降口を開閉する乗場ドアと、前記乗場ドアの光触媒コーティング面に水又は洗浄液を散水する散水手段と、この散水手段を起動又は停止する制御手段と、を備えたことを特徴とするエレベーター乗場ドア清浄装置。
【請求項２】
前記散水手段は、前記三方枠に設けられる複数のノズルを備えたことを特徴とする請求項１に記載のエレベーター乗場ドア清浄装置。
【請求項３】
前記乗場ドアの光触媒コーティング面に紫外線を含む光を照射する光源を備え、この光源は前記制御手段によって点灯又は消灯されることを特徴とする請求項１又は２に記載のエレベーター乗場ドア清浄装置。
【請求項４】
前記制御手段は、前記乗場ドアが全閉したことを検出する乗場ドア全閉検出手段と、前記乗降口周辺の人の有無を検出する人検出手段と、該乗場ドアに近傍して設けられ該乗場ドアの光触媒コーティング面に照射される紫外線量を計測する紫外線計の少なくともいずれか一つを備えたことを特徴とする請求項１乃至３の何れかに記載のエレベーター乗場ドア清浄装置。
【請求項５】
前記制御手段は、前記人検出手段及び前記乗場ドア全閉検出手段に基づいて前記散水手段を起動又は停止することを特徴とする請求項１乃至３の何れかに記載のエレベーター乗場ドア清浄装置。
【請求項６】
前記制御手段は、前記人検出手段及び前記乗場ドア全閉検出手段に基づいて前記光源を点灯又は消灯することを特徴とする請求項３に記載のエレベーター乗場ドア清浄装置。
【請求項７】
前記制御手段は、前記人検出手段、前記乗場ドア全閉検出手段及び前記紫外線計に基づいて前記散水手段を起動し、該人検出手段及び該乗場ドア全閉検出手段に基づいて該散水手段を停止することを特徴とする請求項１乃至３の何れかに記載のエレベーター乗場ドア清浄装置。
【請求項８】
前記制御手段は、前記人検出手段、前記乗場ドア全閉検出手段及び前記紫外線計に基づいて前記光源を点灯し、該人検出手段及び該乗場ドア全閉検出手段に基づいて該光源を消灯することを特徴とする請求項３に記載のエレベーター乗場ドア清浄装置。
【請求項９】
前記制御装置は、日時管理を行なうタイマー機能を備え、前記散水手段を起動する時間帯、次回散水までのインターバル及び散水時間に基づいて該散水手段の起動又は停止を行なうことを特徴とする請求項１乃至３の何れかに記載のエレベーター乗場ドア清浄装置。
【請求項１０】
前記乗場ドアの下方に配設される敷居に排水手段を備えたことを特徴とする請求項１乃至請求項３の何れかに記載のエレベーター乗場ドア清浄装置。
【発明の詳細な説明】
【技術分野】
【０００１】
この発明は、エレベーターの乗場に設けられる乗場ドアを光触媒により清浄化するエレベーター乗場ドア清浄装置に関するものである。
【背景技術】
【０００２】
一般に、屋外に設置されるエレベーターの乗場ドアは、昇降路へ流れる空気の吹きつけ等によって塵埃やカーボン等の汚れ成分が付着し易い。また、歓楽街等に設置されるエレベーターの乗場ドアは心無い利用者による落書き、痰や唾の吐きかけ等が散見される。このように、乗場ドアは大変汚れ易く、また雑菌等も付着し易い。このような、清潔感、美観の低下を防止するため手作業による清掃作業が行なわれるが大変な労力を要するものであった。
【０００３】
このため、エレベーター乗場ドア清浄装置として、エレベーターを構成する壁材、内部
、外部の機器、設置品に光により活性化し、空気洗浄化、抗菌、汚れ付着防止、洗浄の容易化をもたらす光触媒を塗布し、この光触媒塗布面に光源の光を照射するように構成したものが提案されている（例えば、特許文献１参照）。
【０００４】
【特許文献１】特開２００１−３２８７８６号公報
【発明の開示】
【発明が解決しようとする課題】
【０００５】
しかしながら、従来の技術は光触媒による有機物の酸化分解作用によって、空気洗浄化
、抗菌、汚れ付着防止、洗浄の容易化を図るものであり、上述したような汚れ易い環境下にあるエレベーターの乗場ドアに臭い成分、細菌、雑菌、塵埃やカーボン等の汚れ成分が付着することを十分に防止できるものではなかった。このため乗場ドアに付着する酸化分解されない塵埃、カーボン等の汚れ成分は手作業による除去作業が必要であった。
【０００６】
この発明は、上述のような課題を解決するためになされたもので、光触媒の有機物の酸化分解作用と光触媒の超親水性によるセルフクリーニング作用を利用して乗場ドアを有効に清浄化することのできるエレベーター乗場ドア清浄装置を得るものである。
【課題を解決するための手段】
【０００７】
この発明に係るエレベーター乗場ドア清浄装置は、乗場と、この乗場に設けられた三方枠により形成される乗降口と、を備えたエレベーターであって、表面が光触媒でコーティングされ前記乗降口を開閉する乗場ドアと、前記乗場ドアの光触媒コーティング面に水又は洗浄液を散水する散水手段と、この散水手段を起動又は停止する制御手段と、を備えたものである。
【発明の効果】
【０００８】
この発明によれば、乗場ドアに付着する有機物は光触媒の有機物の酸化分解作用によって分解するとともに、乗場ドアに付着する塵埃やカーボン等の汚れ成分は水又は洗浄液を散水することで光触媒の超親水性によるセルフクリーニングが作用し除去できるので、乗場ドアを有効に清浄化することができる。
【発明を実施するための最良の形態】
【０００９】
以下、本発明を実施するための最良の形態について、１階乃至３階の各階床を備えた建物に設置されたエレベーターを例に図面を参照して説明する。
【００１０】
実施の形態１．
図１は、本発明の実施の形態１に係るエレベーター乗場ドア清浄装置の全体構成図である。図２は、本発明の実施の形態１に係る乗場の詳細図である。図３は、図２のＩＩＩ−ＩＩＩ線における断面図である。
【００１１】
図１又は図２において、エレベーターは建物の１階乃至３階の各階床に設けられた乗場１と、利用者を運搬する図示しないかごと、かごの移動空間である図示しない昇降路と、各乗場１の壁等に設けられかごを呼ぶための乗場釦を有する乗場釦装置２と、かごの内壁に設けられかごを目的とする乗場１に移動させるための行先釦を有するかご操作盤３と、各釦の釦信号に基づいて呼び登録を行ない、図示しない巻上機を駆動してかごを呼び登録に対応する乗場１まで移動させる制御装置４ａが設けられている。
【００１２】
各乗場１には、上枠５ａと二つの側枠５ｂを備えた三方枠５がそれぞれ設けられ利用者が乗り降りする乗降口６を形成している。乗降口６には、図示しない一対のかごドアに連動して乗降口６を開閉する一対の乗場ドア７が配設されている。乗場ドア７の表面７ａは光触媒である、例えば酸化チタンが周知の塗布技術又は焼き付け技術によりコーティング加工されている。
【００１３】
各三方枠５の上枠５ａには、乗場ドア７の表面７ａの上端部に向けて噴霧方向が調整された複数のノズル８と、乗降口６周辺の人の有無を検出する人感センサ９が配設されている。
【００１４】
昇降路内の適宜位置に配設される水又は洗浄液の供給源である噴霧装置１０は、各乗場１の複数のノズル８と図示しない配管によって接続されている。噴霧装置１０は、図示しない給水タンク、ポンプ等を備えており、給水タンク内の水又は洗浄液が減少すると給水タンク内に設けられたボールタップ等によって水又は洗浄液が図示しない給水管を通して自動供給される。
【００１５】
昇降路内、乗場１等の適宜位置に配設される集中コントローラ１１ａは、日時管理のためのタイマー機能を備えており、予め噴霧制御を行なう時間帯、次回噴霧制御までのインターバル、噴霧時間が任意に設定されている。集中コントローラ１１ａは、この設定内容と、各人感センサ９の検出信号と、制御装置４ａの乗場ドア全閉検出信号、即ちかごが停止しかつ全ての乗場１の乗場ドア７が閉じた状態が一定時間継続したことを条件として出力され、乗場釦装置２の呼び釦の呼び登録が成立したことを条件として停止する信号に基づいて噴霧装置１０の制御を行なう。
【００１６】
図３に示すように、乗場ドア７の表面７ａを形成する板体が乗場ドア７の下端部から突出して水切片１２を形成している。また、乗場ドア７の下方には、乗場ドア７の開閉方向に沿って延びた直方状の敷居１３が配設されている。敷居１３の上面には乗場ドア７の開閉方向に沿って排水溝１４とシュー溝１５が形成され、水切片１２と乗場ドア７の下端部に締結されたドアシュー１６がそれぞれ嵌合されている。各乗場１の排水溝１４は、昇降路に架設された図示しない排水管に接続されている。
【００１７】
次に、この実施の形態に係るエレベーター乗場ドア清浄装置の動作について説明する。
【００１８】
まず、光触媒による有機物の酸化分解作用について説明する。
【００１９】
周知のように、太陽光又は蛍光灯、殺菌灯、紫外線ＬＥＤ等の光源が発する紫外線を含む光が乗場ドア７の表面７ａに当たるとコーティングされた光触媒が活性化し、空気中の水や酸素と反応して活性酸素を発生させる。この活性酸素の強力な酸化力によって表面７ａに付着した臭い成分、細菌、雑菌、塵埃やカーボン等の汚れ成分に含まれる油脂分等の有機物が酸化分解される。
【００２０】
次に、光触媒によるセルフクリーニング作用について説明する。
【００２１】
周知のように、太陽光又は蛍光灯、殺菌灯、紫外線ＬＥＤ等の光源が発する紫外線を含む光が乗場ドア７の表面７ａに当たるとコーティングされた光触媒が活性化し、表面７ａは水の接触角が限りなく０度に近くなることで濡れやすい超親水性となる。表面７ａに噴霧される水は超親水性により付着した塵埃やカーボン等の汚れ成分の下に潜り込む効果が高くなり汚れ成分を剥がし流すことができる。
【００２２】
次に、集中コントローラ１１ａによる噴霧装置１０の噴霧制御について説明する。
【００２３】
まず、噴霧時間帯の設定であるが、例えば乗場ドア７が屋外に面したエレベーターは噴霧時間帯を日照時間帯内で設定し、乗場ドア７が屋内に面しているエレベーターは、乗場１に設けられる蛍光灯等の照明設備が点灯している時間帯で噴霧時間帯を設定することで光触媒が活性化しているときに併せて噴霧制御を行なうことができる。
【００２４】
集中コントローラ１１ａが噴霧装置１０の噴霧制御を開始する条件は、噴霧時間帯であること、前回噴霧制御から一定時間Ｔが経過していること、各人感センサ９が人検出信号を入力していないこと、制御装置４ａの乗場ドア全閉検出信号が入力されていることである。集中コントローラ１１ａは、これらの条件が全て成立すると噴霧装置１０を起動し、水が複数のノズル８を通して乗場ドア７の表面７ａの上端部に噴霧される。
【００２５】
噴霧された水は超親水性のセルフクリーニング作用によって表面７ａに付着した塵埃やカーボン等の汚れ成分を剥がしながら下方に向けて流れ水切片１２から排水溝１４に滴下し、昇降路に架設された排水管に流れて昇降路外に排出される。
【００２６】
次に、集中コントローラ１１ａが噴霧装置１０の噴霧制御を終了する条件は、噴霧時間Ｓが経過したこと、何れかの人感センサ９から人検出信号が入力されたこと、制御装置４ａから乗場ドア全閉検出信号の入力が停止したことである。集中コントローラ１１ａは、これらの条件の何れか一つが成立すると噴霧装置１０を停止する。
【００２７】
集中コントローラ１１ａは、噴霧時間Ｓが経過して噴霧を終了した場合、「噴霧成功」と判断し前回の噴霧制御からの経過時間のリセットを行ない改めてカウントを開始する。また、人検出信号の入力停止及び乗場ドア全閉検出信号の入力停止により噴霧を終了した場合、「噴霧失敗」と判断し前回の噴霧制御からの経過時間を引き続きカウントする。即ち、「噴霧失敗」時は「噴霧成功」まで噴霧制御のリトライが行なわれる。
【００２８】
上述のように、本発明の実施の形態１によれば、乗場ドア表面に光触媒をコーティングすることで乗場ドアの表面に付着した雑菌、細菌、臭い成分、塵埃やカーボン等の汚れ成分に含まれる油脂分等の有機物は光触媒の酸化分解作用により分解され、抗菌、悪臭防止
、汚れの付着力の低下を促すことができる。また、乗場ドアの表面に付着した塵埃やカーボン等の汚れ成分は、光触媒が活性化する時間帯で水を噴霧することでセルフクリーニングが作用し除去することができる。これにより、乗場ドアを有効に清浄化することができる。
【００２９】
なお、この実施の形態では、集中コントローラが噴霧装置を制御する条件として、人感センサの人検出信号、制御装置の待機信号に基づいて乗降口周辺の無人状態とエレベーターの未使用状態を検出するものとしたが、これに限定されるものではなく、例えば建物に設けられる警備装置の警備信号に基づいて乗降口周辺の無人状態とエレベーターの未使用状態を検出し噴霧装置を制御することもできる。
【００３０】
実施の形態２．
図４は、本発明の実施の形態２に係るエレベーター乗場ドア清浄装置の全体構成図である。図５は、本発明の実施の形態２に係る乗場の詳細図である。図中、図１又は図２と同一符号は、同一部分、又は同一内容を示し説明は省略する。
【００３１】
各乗場１の三方枠５の上枠５ａ及び各側枠５ｂに所定の間隔をおいて複数のノズル８が設けられ、乗場ドア７の表面７ａの全面に噴霧がゆきわたるようにそれぞれの噴霧方向が調整されている。
【００３２】
昇降路内の適宜位置に各乗場１に対応して噴霧装置１０がそれぞれ配設され、対応する乗場１の複数のノズル１１と図示しない配管で接続されている。
【００３３】
制御装置４ｂは、例えばかごの位置が１階ではなくかつ１階に対応する呼び登録が無いことを条件として１階の乗場ドア全閉検出信号を集中コントローラ１４ｂに出力し、１階に対応する呼び登録が成立したことを条件として１階の乗場ドア全閉検出信号の出力を停止する。
【００３４】
昇降路内、乗場１等の適宜位置に配設される集中コントローラ１１ｂは、日時管理のためのタイマー機能を備えており、予め噴霧制御を行なう時間帯、次回噴霧制御までのインターバル、噴霧時間が任意に設定されている。集中コントローラ１１ｂは、この設定内容と乗場１毎の人感センサ９の検出信号と、制御装置４ｂの乗場１毎の乗場ドア全閉検出信号に基づいて各噴霧装置１０を乗場１毎に個別制御する。
【００３５】
次に、この発明の実施の形態２に係るエレベーター乗場ドア清浄装置の集中コントローラ１１ｂによる各噴霧装置１０の乗場１毎の個別制御について１階の乗場１に設けられる噴霧装置１０を例に説明する。
【００３６】
まず、噴霧時間帯の設定であるが、例えば乗場ドア７が屋外に面したエレベーターは噴霧時間帯を日照時間帯内で設定し、乗場ドア７が屋内に面しているエレベーターは、乗場１に設けられる蛍光灯等の照明設備が点灯している時間帯で噴霧時間帯を設定することで光触媒が活性化しているときに併せて噴霧制御を行なうことができる。
【００３７】
次に、集中コントローラ１１ｂが、例えば１階の噴霧装置１０を制御して噴霧開始する条件は、噴霧時間帯であること、１階の前回噴霧制御から一定時間Ｔが経過したこと、１階の人感センサ９から人検出信号が入力されていないこと、制御装置４ｂから１階の乗場ドア全閉検出信号が入力されていることである。集中コントローラ１１ｂは、これらの条件が全て成立すると１階の噴霧装置１０を起動し、水が複数のノズル８を通して乗場ドア７の表面７ａの全面に噴霧される。
【００３８】
噴霧された水は超親水性のセルフクリーニング作用により表面７ａに付着した塵埃やカーボン等の汚れ成分を剥がしながら下方に向けて流れ水切片１２から排水溝１４に滴下し、昇降路に架設された排水管に流れて昇降路外に排出される。
【００３９】
次に、集中コントローラ１１ｂが１階の噴霧装置１０を個別制御して噴霧終了する条件は、噴霧時間Ｓが経過したこと、１階の人感センサ９の人検出信号が入力されたこと、制御装置４ｂから１階の乗場ドア全閉検出信号の入力が停止したことである。集中コントローラ１１ｂは、これらの条件の何れか一つが成立すると１階の噴霧装置１０を停止する。
【００４０】
集中コントローラ１１ｂは、噴霧時間Ｓが経過して噴霧を終了した場合、「噴霧成功」と判断し前回の噴霧制御からの経過時間のリセットを行ない改めてカウントを開始する。また、人検出信号の入力停止及び乗場ドア全閉検出信号の入力停止により噴霧を終了した場合、「噴霧失敗」と判断し前回の噴霧制御からの経過時間を引き続きカウントする。即ち、「噴霧失敗」時は「噴霧成功」まで噴霧制御のリトライが行なわれる。
【００４１】
上述のように、本発明の実施の形態２によれば、実施の形態１で述べた効果に加え、噴霧制御を行なうことが可能な乗場を検出し乗場毎に個別に噴霧制御を行なうにしたので、利用頻度の高いエレベーターにおいても有効に乗場ドアを清浄化することができる。
【００４２】
また、三方枠の上枠、両側枠に複数のノズルを設け、光触媒コーティング面５ａの全面に向けて噴霧がゆきわたるようにしたので、セルフクリーニング作用をより有効に促すことができる。
【００４３】
なお、この実施の形態では、階毎に個別に噴霧制御するため各乗場に対応して噴霧装置を設ける構成としたがこれに限定するものではなく、例えば一つの噴霧装置と各乗場のノズルとを接続する配管にそれぞれ電磁弁を設け、電磁弁を制御することにより噴霧するノズルの切り分けを行なう構成としてもよい。
【００４４】
実施の形態３．
図６は、本発明の実施の形態３に係るエレベーター乗場ドア清浄装置の全体構成図である。図７は、本発明の実施の形態３に係る乗場の詳細図である。図中、図１乃至図５と同一符号は、同一部分、又は同一内容を示し説明は省略する。
【００４５】
各乗場１の壁の乗場ドア７に近傍する位置に、紫外線量を測定し測定データを集中コントローラ１１ｃに出力する紫外線計１７がそれぞれ設けられている。
【００４６】
昇降路内、乗場１等の適宜位置に配設される集中コントローラ１１ｃは、日時管理のためのタイマー機能を備えており、予め次回噴霧制御までのインターバル、噴霧時間が任意に設定されている。集中コントローラ１１ｃは、この設定内容と乗場１毎の人感センサ９の検出信号と、乗場毎１の紫外線計１７の計測データと、制御装置４ｂの乗場１毎の乗場ドア全閉検出信号に基づいて各噴霧装置１０を乗場１毎に個別制御する。
【００４７】
次に、この発明の実施の形態３に係るエレベーター乗場ドア清浄装置の集中コントローラ１１ｃによる各噴霧装置１０の乗場１毎の個別制御について１階の乗場１に設けられる噴霧装置１０を例に説明する。
【００４８】
まず、集中コントローラ１１ｃは、各紫外線計１７から入力される測定データが閾値α
、即ち光触媒の活性化に必要な紫外線量より大きいかを乗場１毎に判別する。
【００４９】
集中コントローラ１１ｃが、例えば１階の噴霧装置１０を個別制御して噴霧開始する条件は、１階の前回噴霧制御から一定時間Ｔが経過したこと、１階の人感センサ９から人検出信号が入力されていないこと、制御装置４ｂから１階の乗場ドア全閉検出信号が入力されていること、１階の紫外線計１７の測定データが閾値αより大きいことである。集中コントローラ１１ｂは、これらの条件が全て成立すると１階の噴霧装置１０を起動し、水が複数のノズル８を通して乗場ドア７の表面７ａの全面に噴霧される。
【００５０】
噴霧された水は超親水性のセルフクリーニング作用により表面７ａに付着した塵埃やカーボン等の汚れ成分を剥がしながら下方に向けて流れ水切片１２から排水溝１４に滴下し、昇降路に架設された排水管に流れて昇降路外に排出される。
【００５１】
次に、集中コントローラ１１ｃが１階の噴霧装置１０を個別制御して噴霧終了する条件は、噴霧時間Ｓが経過したこと、１階の人感センサ９から人検出信号が入力されたこと、制御装置４ｂから１階の乗場ドア全閉検出信号の入力が停止したことである。集中コントローラ１１ｃは、これらの条件の何れか一つが成立すると１階の噴霧装置１０を停止する
。
【００５２】
集中コントローラ１１ｃは、噴霧時間Ｓが経過して噴霧を終了した場合、「噴霧成功」と判断し前回の噴霧制御からの経過時間のリセットを行ない改めてカウントを開始する。また、人検出信号の入力停止及び乗場ドア全閉検出信号の入力停止により噴霧を終了した場合、「噴霧失敗」と判断し前回の噴霧制御からの経過時間を引き続きカウントする。即ち、「噴霧失敗」時は「噴霧成功」まで噴霧制御のリトライが行なわれる。
【００５３】
上述のように、本発明の実施の形態３によれば、実施の形態２で述べた効果に加え、紫外線計によって光触媒の活性状態／非活性状態を判別して水を噴霧することでセルフクリーニングを有効に作用させることができる。
【００５４】
実施の形態４．
図８は、本発明の実施の形態４に係るエレベーター乗場ドア清浄装置の全体構成図である。図９は、本発明の実施の形態４に係る乗場の詳細図である。図中、図１乃至図７と同一符号は、同一部分、又は同一内容を示し説明は省略する。
【００５５】
三方枠３の各側枠３ｂには、乗場ドア７の表面７ａに向けて紫外線を含む光を照射する光源、例えば複数の紫外線ＬＥＤで構成される紫外線ＬＥＤ群１８が複数配設され、昇降路内に各乗場１に対応して設けられた電源装置１９に接続されている。
【００５６】
昇降路内、乗場１等の適宜位置に配設される集中コントローラ１１ｄは、日時管理のためのタイマー機能を備えており、予め噴霧制御を行なう時間帯、次回噴霧制御までのインターバル、噴霧時間が任意に設定されている。集中コントローラ１１ｄは、この設定内容と、乗場１毎の人感センサ９の検出信号と、制御装置４ｂの乗場１毎の乗場ドア全閉検出信号に基づいて各噴霧装置１０及び各電源装置１９を乗場１毎に個別に制御する。
【００５７】
次に、本発明の実施の形態３に係るエレベーター乗場ドア清浄装置の集中コントローラ１１ｄによる各噴霧装置１０及び各電源装置１８を乗場１毎に個別に制御する動作について、１階の乗場１に設けられる噴霧装置１０及び電源装置１９を例に説明する。
【００５８】
まず、集中コントローラ１１ｄが、１階の電源装置１９を起動する条件は、１階の人感センサ９から人検出信号が入力されていないこと、制御装置４ｂから１階の乗場ドア全閉検出信号が入力されていることである。集中コントローラ１１ｃは、この二つの条件が成立すると、１階の電源装置１８を起動して三方枠３の各側枠３ｂに複数設けられた紫外線ＬＥＤ群１８を点灯させる。これにより、紫外線が照射された乗場ドア７の表面７ａにコーティングされた光触媒が活性化し、有機物の酸化分解作用が促されるとともに、乗場ドア７の表面７ａは超親水性となる。
【００５９】
次に、集中コントローラ１１ｄが、１階の電源装置１９を停止させる条件は、１階の人感センサ９から人検出信号が入力されたこと、制御装置４ｂから１階の乗場ドア全閉検出信号の入力が停止したことである。集中コントローラ１１ｄは、この二つの条件の何れか一つが成立すると、１階の電源装置１９を停止して紫外線ＬＥＤ群１８を消灯させる。
【００６０】
次に、集中コントローラ１１ｄが、１階の噴霧装置１０を起動する条件は、噴霧時間帯であること、前回の噴霧制御から一定時間Ｔが経過したこと、１階の人感センサ９から人検出信号が入力されていないこと、制御装置４ｂから１階の乗場ドア全閉検出信号の入力されていること、１階に対応する電源装置１９が起動してから一定時間Ｈが経過したことである。集中コントローラ１１ｄは、これらの全ての条件が成立すると１階の噴霧装置１０を起動し、水が複数のノズル８を通して乗場ドア７の表面７ａの上端部に噴霧される。
【００６１】
なお、噴霧時間帯は、例えば深夜等のエレベーターの利用頻度が低い時間帯に設定されている。
【００６２】
噴霧された水は超親水性のセルフクリーニング作用により表面７ａに付着した塵埃やカーボン等の汚れを剥がしながら下方に向けて流れ水切片１２から排水溝１４に滴下し、昇降路に架設された排水管に流れて昇降路外に排出される。
【００６３】
次に、集中コントローラ１１ｄが１階に対応する噴霧装置１０を停止する条件は、噴霧時間Ｓが経過したこと、１階の人感センサ９から人検出信号が入力されたこと、制御装置４ｂから１階の乗場ドア全閉検出信号の入力が停止したことである。集中コントローラ１１ｄは、これらの条件の何れか一つが成立すると１階の噴霧装置１０を停止して噴霧を終了させる。
【００６４】
集中コントローラ１１ｄは、噴霧時間Ｓが経過して噴霧を終了した場合、「噴霧成功」と判断し前回の噴霧制御からの経過時間のリセットを行ない改めてカウントを開始する。また、電源装置１８の停止により噴霧を終了した場合、「噴霧失敗」と判断し前回の噴霧制
御からの経過時間を引き続きカウントする。即ち、「噴霧失敗」時は「噴霧成功」まで噴霧制御のリトライが行なわれる。
【００６５】
上述のように、本発明の実施の形態４によれば、乗場ドアの光触媒コーティング面に紫外線を含む光を照射する光源を設けたので、光触媒の活性化状態をより長い時間に亙って維持することができ、乗場ドアの表面に付着した雑菌、細菌、臭い成分、塵埃やカーボン等の汚れ成分に含まれる油脂分等の有機物を酸化分解作用が有効に作用し分解することができる。また、乗場ドアの表面に付着した塵埃やカーボン等の汚れ成分は、光源によって光触媒が活性化しているときに水を噴霧することで超親水性のセルフクリーニングが有効に作用し除去することができる。これにより、乗場ドアを有効に清浄化することができる。
【００６６】
また、どの時間帯であっても光源によって乗場ドア７の表面にコーティングされた光触媒を活性化することができるので、噴霧時間をエレベーターの利用頻度の低い時間帯に設定することができ噴霧制御を効率よく行なうことができる。
【００６７】
なお、各乗場の乗場ドアに近傍する位置に紫外線計を配設して乗場ドアの表面に照射される紫外線量を測定するようにし、この測定データが光触媒が活性化するのに必要な紫外線量より大きいときは光触媒が活性化状態にあるとして光源を非点灯とすれば、光源の点灯から一定時間の経過を待たずして噴霧装置を起動させることができるので噴霧制御を効率よく行なうことができる。
【００６８】
以上、本発明の幾つかの実施の形態について説明してきたが、これらの実施の形態に限定されるものではなく、例えば開いた乗場ドアの収納部である戸袋にノズルを配置することによって乗場ドアが開いたときに噴霧するように構成することもできる。
【００６９】
また、エレベーターの日常管理又はエレベーターの保守点検等おいて乗場ドアの汚れ具合等を人が判断し手動操作によって噴霧装置又は電源装置を起動することができることは言うまでのない。
【図面の簡単な説明】
【００７０】
【図１】本発明の実施の形態１に係るエレベーター乗場ドア清浄装置の全体構成図で            ある。
【図２】本発明の実施の形態１に係る乗場の詳細図である。
【図３】図２のＩＩ−ＩＩ線における断面図である。
【図４】本発明の実施の形態２に係るエレベーター乗場ドア清浄装置の全体構成図で            ある。
【図５】本発明の実施の形態２に係る乗場の詳細図である。
【図６】本発明の実施の形態３に係るエレベーター乗場ドア清浄装置の全体構成図で            ある。
【図７】本発明の実施の形態３に係る乗場の詳細図である。
【図８】本発明の実施の形態４に係るエレベーター乗場ドア清浄装置の全体構成図で            ある。
【図９】本発明の実施の形態４に係る乗場の詳細図である。
【符号の説明】
【００７１】
１  乗場、５  三方枠、６  乗降口、７  乗場ドア、７ａ  表面、１０  噴霧装置、１１ａ  集中コントローラ。
【図１】
2007261707.tif 000003
【図２】
2007261707.tif 000004
【図３】
2007261707.tif 000005
【図４】
2007261707.tif 000006
【図５】
2007261707.tif 000007
【図６】
2007261707.tif 000008
【図７】
2007261707.tif 000009
【図８】
2007261707.tif 000010
【図９】
2007261707.tif 000011